(57)【要約】      （修正有）【課題】トイレルーム内において便器着座者が容易に操作できる位置にポータブルスピーカを設置することができるようにする。【解決手段】衛生洗浄装置用リモコン設備１は、スタンド２の上部にリモコン本体３と、ポータブルスピーカの設置部５とを設けたものである。衛生洗浄装置用リモコン設備１をトイレルーム内の便器近傍に配備し、ケース１２内にポータブルスピーカを設置する。便器使用者等が携帯型オーディオ機器２２を開口２１から装着部に装着し、ポータブルスピーカによって音楽を再生する。【選択図】図１
2013181368.tif 000002
【特許請求の範囲】
【請求項１】
衛生洗浄装置を操作するためのリモコン本体と、携帯型オーディオ機器が着脱されるポータブルスピーカの設置部とを備えた衛生洗浄装置用リモコン設備。
【請求項２】
請求項１において、前記設置部は、ケースと、該ケースから引き出し可能なトレーと、該ケースに設けられた、携帯型オーディオ機器の挿通用の開口とを有することを特徴とする衛生洗浄装置用リモコン設備。
【請求項３】
請求項２において、前記開口は前記ケースの上面に設けられていることを特徴とする衛生洗浄装置用リモコン設備。
【請求項４】
請求項２又は３において、前記トレーは、前記ケースに挿入された状態において、引き出し方向の先端部が開放していることを特徴とする衛生洗浄装置用リモコン設備。
【請求項５】
請求項１ないし４のいずれか１項において、前記ケースに透音用の複数の小孔が設けられていることを特徴とする衛生洗浄装置用リモコン設備。
【請求項６】
請求項１ないし５のいずれか１項において、前記リモコン本体及び前記ポータブルスピーカの設置部が自立式スタンドに設けられていることを特徴とする衛生洗浄装置用リモコン設備。
【請求項７】
請求項１ないし６のいずれか１項において、前記設置部がリモコン本体取付用部材と一体となっているか又はリモコン本体取付用部材に接していることを特徴とする衛生洗浄装置用リモコン設備。
【発明の詳細な説明】
【技術分野】
【０００１】
本発明は、便器に設けられた衛生洗浄装置を操作するためのリモコン設備に係り、特にポータブルスピーカの設置部を設けた衛生洗浄装置用リモコン設備に関する。
【背景技術】
【０００２】
トイレ使用中にも音楽を聴きたいとの希望に応えるものとして、特許文献１にはロータンクカバーにスピーカを設けることが記載されている。特許文献２には衛生洗浄装置のリモコンに音楽再生手段とスピーカとを設けることが記載されている。
【０００３】
特許文献３には自立式のスタンドの上部に衛生洗浄装置用リモコンを設けることが記載されている。
【先行技術文献】
【特許文献】
【０００４】
【特許文献１】特開２００３−１７６５５９
【特許文献２】特開２００６−３４８５４４
【特許文献３】特開２０１１−８４８６７
【発明の概要】
【発明が解決しようとする課題】
【０００５】
近年、携帯型オーディオ機器に自分の好みに合った音楽データをインターネットを介してダウンロードすること等によって保存しておき、随時再生することが広く行われるようになってきている。また、この携帯型オーディオ機器をポータブルスピーカに装着することによりスピーカによって音楽を聴くことも普及している。
【０００６】
上記特許文献１，２では、リモコンやロータンクカバー内のデータ記憶手段に記憶させた音楽しか再生することができず、携帯型オーディオ機器に記憶させたデータを改めてリモコン等の記憶手段にコピーする必要があり、手間がかかっている。
【０００７】
トイレルームに棚などの十分なスペースがあれば、棚にポータブルスピーカを置き、携帯型オーディオ機器を装着して音楽をスピーカによって再生することが可能であるが、棚などのスペースがないトイレルームも多い。また、棚があったとしても、便器後方に位置したり、便器着座者から離れていると、着座したままでは携帯型オーディオ機器を操作できない。
【０００８】
本発明は、上記従来技術の問題点を解消し、トイレルーム内において便器着座者が容易に操作できる位置にポータブルスピーカを設置することができるようにすることを目的とする。
【課題を解決するための手段】
【０００９】
本発明の衛生洗浄装置用リモコン設備は、衛生洗浄装置を操作するためのリモコン本体と、携帯型オーディオ機器が着脱されるポータブルスピーカの設置部とを備えたものである。
【００１０】
前記設置部は、ケースと、該ケースから引き出し可能なトレーと、該ケースに設けられた、携帯型オーディオ機器の挿通用の開口とを有することが好ましい。
【００１１】
この携帯型オーディオ機器挿通用開口は、前記ケースの上面に設けられていることが好ましい。
【００１２】
前記トレーは、前記ケースに挿入された状態において、引き出し方向の先端部が開放していることが好ましい。
【００１３】
前記ケースに、透音用の複数の小孔が設けられていることが好ましい。
【００１４】
前記リモコン本体及び前記ポータブルスピーカ設置部が自立式スタンドに設けられていてもよい。
【００１５】
前記設置部がリモコン本体取付用部材と一体となっているか又はリモコン本体取付用部材に接していてもよい。
【発明の効果】
【００１６】
本発明の衛生洗浄装置用リモコン設備にあっては、該衛生洗浄装置用リモコン設備に設けられたポータブルスピーカの設置部にポータブルスピーカを設置し、このポータブルスピーカに携帯型オーディオ機器を装着し、スピーカによって音楽などを再生することができる。
【００１７】
一般に、衛生洗浄装置のリモコンは、便器着座者が手を伸ばせば届く範囲に設けられるものであるから、ポータブルスピーカに装着された携帯型オーディオ機器についても便器着座者が手を伸して容易に操作することができる。
【００１８】
この設置部を携帯型オーディオ機器挿通用開口を有したケース及び該ケースから引き出し可能なトレーにて構成することにより、ポータブルスピーカをトレーに載せ、ケース内に容易に出し入れすることができる。また、このケースに設けられた携帯型オーディオ機器の挿通用の開口を介してケース内のポータブルスピーカに対し携帯型オーディオ機器を着脱することができる。なお、ポータブルスピーカをケース内に設置することによりポータブルスピーカに埃が付きにくいものとなる。
【００１９】
この開口をケースの上面に設けることにより、ポータブルスピーカ上面の携帯型オーディオ機器装着部に対し携帯型オーディオ機器を容易に着脱することができる。
【００２０】
トレーの引き出し方向の先端部を開放させたりケースに透音用の小孔を設けることにより、ポータブルスピーカのスピーカからの音がケース外部に伝わり易くなる。
【００２１】
リモコン本体及びポータブルスピーカの設置部を自立式スタンドに設けることにより、リモコン本体及びポータブルスピーカの設置部をトイレルーム内の所望の位置に配置することができる。
【００２２】
該設置部をリモコン本体取付用部材と一体とするか、又はリモコン本体取付用部材に接する構成とすることにより、該設置部の自立式スタンドやトイレルーム壁面への取り付けが容易となる。
【図面の簡単な説明】
【００２３】
【図１】実施の形態に係る衛生洗浄装置用リモコン設備の斜視図である。
【図２】図１のII−II線断面図である。
【図３】トレーを引き出した状態の図１のII−II線断面図である。
【図４】別の実施の形態に係る衛生洗浄装置用リモコン設備の斜視図である。
【図５】さらに別の実施の形態に係る衛生洗浄装置用リモコン設備の斜視図である。
【発明を実施するための形態】
【００２４】
以下、図面を参照して実施の形態について説明する。
【００２５】
図１〜３は自立スタンド式の衛生洗浄装置用リモコン設備の実施の形態を示すものである。この衛生洗浄装置用リモコン設備１は、スタンド２の上部にリモコン本体３と、ポータブルスピーカ４（図２）の設置部５とを設けたものである。リモコン本体３の前面には、衛生洗浄装置（臀部に向って温水を噴出して洗浄する装置）のコントロールスイッチや表示画面が設けられている。スタンド２は、ベース６と、該ベース６から起立するシャフト７と、該シャフト７の上端に固設されたリモコン本体取付用部材としてのプレート８（図２，３）と、シャフト７の途中から側方に突設されたロール状ペーパー９の保持ロッド１０とを備えている。
【００２６】
図２，３に明示の通り、設置部５は、箱状のケース１２と、該ケース１２から引き出し自在なトレー１３と、ケース１２から延設された支持片１４とを有する。支持片１４は、ケース１２の略水平な上面の前縁から斜め下方に延設されている。前記プレート８は、この支持片１４と同一傾斜角度にて斜めとなっており、該プレート８の前面に支持片１４が重ね合わされている。この支持片１４の上にリモコン本体３が重ね合わされている。プレート８及び支持片１４のビス挿通孔（図示略）を通してビス（図示略）をリモコン本体３に締め込むことにより、リモコン本体３及びケース１２がプレート８に固着されている。
【００２７】
ケース１２の後面は後方に向って開放した開放部１６となっており、この開放部１６を通してトレー１３がガイドレール１７（図３）に案内されてケース１２内に出し入れ自在となっている。トレー１３を引き出してポータブルスピーカ４を該トレー１３上に配置した後、トレー１３をケース１２内に挿入することにより、図２の通り、ポータブルスピーカ４をケース１２内に配置することができる。
【００２８】
ケース１２の側面には、ポータブルスピーカ４からの音を外部に伝播させるための多数の透音用小孔１８が設けられている。
【００２９】
ケース１２の上面には、ポータブルスピーカ４の携帯型オーディオ機器装着部２０（図２）に対し携帯型オーディオ機器２２を着脱させるための開口２１が設けられている。携帯型オーディオ機器２２は、通信機能を有していてもよく、音楽再生機能のみを有しているものでもよい。
【００３０】
このように構成された衛生洗浄装置用リモコン設備１にあっては、衛生洗浄装置用リモコン設備１をトイレルーム内の便器近傍に配備し、ケース１２内にポータブルスピーカ４を設置する。便器使用者等が携帯型オーディオ機器２２を開口２１から装着部２０に装着し、ポータブルスピーカ４によって音楽を再生する。音楽は、開放部１６、小孔１８及び開口２１を介してケース１２外に伝わり、便器使用者に聴取される。従って、便器使用者は、自分の携帯型オーディオ機器２２によって自分の好みに合った音楽を聞くことができる。なお、携帯型オーディオ機器２２は自己の所有するものに限定されない。また、リモコン本体３は、着座者が手を伸ばせば楽に届く便器近傍領域に配置されるから、携帯型オーディオ機器２２も着座者が手を伸して容易に操作することができる。このポータブルスピーカ４は、ケース１２内に配置されているので、埃等が付きにくい。
【００３１】
この実施の形態では、設置部５のケース１２に引き出し式のトレー１３が設けられているので、ポータブルスピーカ４をケース１２に容易に出し入れすることができる。また、このケース１２の上面に設けられた開口２１を通して携帯型オーディオ機器２２をポータブルスピーカ４に容易に着脱することができる。
【００３２】
この実施の形態では、ケース１２の支持片１４をプレート８にリモコン本体３と共に固定しているので、ケース１２の設置も容易である。また、ケース１２が不要になったときには、固定用ビスを外して撤去することもできる。ただし、支持片１４をプレート８に溶接等により固着してもよい。
【００３３】
図４，５を参照して別の実施の形態について説明する。
【００３４】
図４の衛生洗浄装置用リモコン設備３０は、リモコン本体３８を保持するための壁付け型のブラケット（リモコン本体取付用部材）３１にポータブルスピーカ４（図４では図示略）の設置部５Ａを一体に設けている。
【００３５】
このブラケット３１は、略々平板状であり、左右の側辺部分と下辺部分とにリブ３２，３３が表側に立設されている。左右の側辺のリブ３２には、内向きに爪部３４が突設されている。このブラケット３１をトイレルームの壁面に取り付けるために、該ブラケット３１にビスの挿通孔３５，３６が設けられている。
【００３６】
リモコン本体３８の左右の側面には、前記爪部３４が係合する溝３９が設けられている。リモコン本体３８の前面には衛生洗浄装置のコントロールスイッチ及び表示画面が設けられている。
【００３７】
ブラケット３１から下方にプレート１４Ａが延設されており、このプレート１４Ａの下端に設置部５Ａが連なっている。設置部５Ａの構成は、プレート１４Ａが上方に延設されていること以外は前記設置部５と同一であり、ケース１２に対してトレー１３が引き出し可能とされ、ケース１２の上面に携帯型オーディオ機器着脱用の開口２１が設けられている。また、ケース１２の側面に小孔１８が設けられている。
【００３８】
この設置部５Ａでも、トレー１３上にポータブルスピーカ４を載せてポータブルスピーカ４をケース１２内に配置することができる。開口２１からこのポータブルスピーカ４に対し携帯型オーディオ機器２２を着脱することができる。リモコン本体３８は、便器着座者が手を伸ばして容易に操作できるように便器近傍のトイレルーム壁面に設けられるので、着座したままでも携帯型オーディオ機器２２を容易に操作することができる。
【００３９】
この実施の形態では、設置部５Ａがブラケット３１と一体となっているので、ブラケット３１をトイレルーム壁面に取り付けることにより併せて設置部５Ａも設置することができる。
【００４０】
図４の衛生洗浄装置用リモコン設備３０ではブラケット３１と設置部５Ａとが一連一体となっているが、図５の衛生洗浄装置用リモコン設備３０’ではブラケット３１と設置部５Ａ’とを別体とし、設置部５Ａ’のプレート１４Ａ’を上方に長くし、ブラケット３１とプレート１４Ａ’とを重ねて壁面Ｗにビス留めするようにしている。プレート１４Ａ’には、ブラケット３１のビス挿通孔３５，３６と重なる位置にビス挿通孔４０，４１が設けられている。図５のその他の構成は図４と同一であり、同一符号は同一部分を示している。
【００４１】
この衛生洗浄装置用リモコン設備３０’によっても、衛生洗浄装置用リモコン設備３０と同様の作用効果が奏される。この実施の形態では、ブラケット３１と設置部５Ａ’とが別体であるので、設置部５Ａ’が不要となったときにはビスを外して設置部５Ａ’を撤去することができる。また、既設のブラケットを一旦取り外し、必要に応じビス挿通孔４０，４１を開け、設置部５Ａ’を該ブラケットと共に取り付けることも可能である。
【００４２】
なお、図４，５の衛生洗浄装置用リモコン設備によれば、リモコン用ブラケット３１の取り付け以外にはビス孔を壁面に開けることができない場合（例えば賃貸住宅など）であっても衛生洗浄装置用リモコン設備をトイレルーム壁面に設置することができる。
【００４３】
ケース１２の左右いずれかの側面にトレー開口を設けても良い。また、図４において、ブラケット３１とプレート１４Ａ、設置部５Ａが着脱可能な構成としても良い。着脱可能とするには、係合部を設置したり、連結部材を使用したりすれば良い。
【符号の説明】
【００４４】
１，３０，３０’  衛生洗浄装置用リモコン設備
２  スタンド
３，３８  リモコン本体
４  ポータブルスピーカ
５，５Ａ，５Ａ’  設置部
８  プレート（リモコン本体取付用部材）
１２  ケース
１３  トレー
１４  支持片
１６  開放部
１７  ガイドレール
１８  小孔
２０  携帯型オーディオ機器の装着部
２１  開口
２２  携帯型オーディオ機器
３１  ブラケット（リモコン本体取付用部材）
【図１】
2013181368.tif 000003
【図２】
2013181368.tif 000004
【図３】
2013181368.tif 000005
【図４】
2013181368.tif 000006
【図５】
2013181368.tif 000007